(57)【特許請求の範囲】
【請求項１】
レリースワイヤ端のプランジャーガイドと排水栓用案内筒との間にプランジャーガイドを排水栓用案内筒に差込係止する係止爪機構と、排水栓用案内筒に移動可能に設けられた解除体、あるいは、プランジャーガイドまたはレリースワイヤに移動可能に設けられた解除体とを備え、該解除体を係止爪機構側に移動させて係止爪機構の係止爪を押動して被係止部から強制的に外すことによって排水栓用案内筒とプランジャーガイドとの係止状態を解除することを特徴とするレリースワイヤと排水栓用案内筒との連結構造。
【請求項２】
前記解除体は、排水栓用案内筒、あるいは、プランジャーガイドもしくはレリースワイヤに抜け落ち不能に保持されていることを特徴とする請求項１記載のレリースワイヤと排水栓用案内筒との連結構造。
【請求項３】
排水栓用案内筒の下端に筒軸線方向に間隔をおいて切り割りを有する係止用筒部を設け、その係止用筒部とその筒部に挿入されるレリースワイヤ端のプランジャーガイドとの間に係脱可能に係止する第１係止部を構成し、前記係止用筒部に外嵌するキャップ体に切り割りを設け、キャップ体内面と係止用筒部外面との間に係脱可能に係止する第２係止部を構成していることを特徴とするレリースワイヤと排水栓用案内筒との連結構造。
【発明の詳細な説明】
【０００１】
【発明の属する技術分野】
本発明は、浴槽、洗面器等の容体の排水口を遠隔操作で開閉する排水栓装置においてレリースワイヤと排水栓用案内筒との連結構造に関するものである。
【０００２】
【従来技術】
従来、浴槽、洗面器等の容体の排水口には、排水栓を上下動させる排水栓用案内筒がその口芯に配設され、その排水栓用案内筒にレリースワイヤ端のプランジャーガイドが止着される。
プランジャーガイドは、アウターワイヤの操作部に連結されない他端側に取り付けられ、インナーワイヤ端もしくはそのインナーワイヤ端に止着されたプランジャーをガイドする金属製の筒状物である。
排水栓用案内筒は、上昇限でロックとロック解除とを交互に繰り返すスラストロック機構を収容したり、操作部側にスラストロック機構を収容する代わりに内部に排水栓の支軸を案内する案内部を設けた構成になっている。
【０００３】
一端を浴槽、洗面器等の上縁面に設けられる操作部に連結されたレリースワイヤの他端をいったん容体内に引き出した後、プランジャーガイドの基端に形成されている螺子部を排水栓用案内筒の底に開孔した螺子孔に螺嵌した後、その排水栓用案内筒を排水口の口芯に取着することによって排水栓用案内筒とレリースワイヤとの連結及び排水栓用案内筒の所定設置箇所へのセットが行われる。
【０００４】
レリースワイヤの長さに余裕を持たせるとレリースワイヤが蛇行してインナーワイヤの摺動抵抗を大きくして摺動性を阻害することから、レリースワイヤ他端の容体内への引き出し可能量に制限があるのが実状である。
そのため、プランジャーガイドの螺子部を排水栓用案内筒の螺子孔に螺嵌する作業が面倒であり、取付施工時、点検時、交換時等でのその連結作業が非常に厄介なものであった。
【０００５】
【発明が解決しようとする課題】
本発明は上記従来事情に鑑みてなされたもので、その目的とする処は、容体内への引き出し量が少なくともプランジャーガイドと排水栓用案内筒との連結がワンタッチで行える連結作業が非常に簡単なレリースワイヤと排水栓用案内筒との連結構造を提供することにある。
【０００６】
【課題を解決するための手段】
上記目的を解決するために講じた技術的手段は、レリースワイヤ端のプランジャーガイドと排水栓用案内筒との間にプランジャーガイドを排水栓用案内筒に差込係止する係止爪機構と、排水栓用案内筒に移動可能に設けられた解除体、あるいは、プランジャーガイドまたはレリースワイヤに移動可能に設けられた解除体とを備え、該解除体を係止爪機構側に移動させて係止爪機構の係止爪を押動して被係止部から強制的に外すことによって排水栓用案内筒とプランジャーガイドとの係止状態を解除することを特徴とするレリースワイヤと排水栓用案内筒との連結構造である（請求項１）。
【０００７】
以上の手段によれば、操作部側に連結されたレリースワイヤの遊端側を容体内に引き出した状態で排水栓用案内筒の下方からプランジャーガイドを差し込んで係止爪と被係止部とを係止して係止爪機構を構成し、排水口の口芯にその排水栓用案内筒をセットする。
それによって、操作部の操作力がレリースワイヤを介して排水栓に作用して排水口の開閉を交互に行うことができる。
そして、排水栓用案内筒内のスラストロック機構を保守・点検する時や交換する時等には、排水栓用案内筒を排水口の口芯から外した後、解除体を係止爪機構側に移動させ係止爪を押動して被係止部から強制的に外して排水栓用案内筒とプランジャーガイドとの係止状態を解除すれば良い。
【０００８】
また、前記解除体が、排水栓用案内筒、あるいは、プランジャーガイドもしくはレリースワイヤに抜け落ち不能に保持されていると（請求項２）、より好適なものである。
【０００９】
また、排水栓用案内筒の下端に筒軸線方向に間隔をおいて切り割りを有する係止用筒部を設け、その係止用筒部とその筒部に挿入されるレリースワイヤ端のプランジャーガイドとの間に係脱可能に係止する第１係止部を構成し、前記係止用筒部に外嵌するキャップ体に切り割りを設け、キャップ体内面と係止用筒部外面との間に係脱可能に係止する第２係止部を構成している場合も有効なものである(請求項３)。
【００１０】
以上に手段によれば、請求項１と同様に操作部側に連結されたレリースワイヤの遊端側を容体内に引き出した状態で排水栓用案内筒にプランジャーガイドが差し入れて第１係止部を構成すると共に、キャップ体を上昇させて第２係止部を構成してダブルロック方式で強固に連結した後、排水口の口芯にその排水栓用案内筒をセットする。
それによって、操作部の操作力がレリースワイヤを介して排水栓に作用して排水口の開閉を交互に行える。
そして、排水栓用案内筒内のスラストロック機構を保守・点検する時や交換する時等には、排水栓用案内筒を排水口の口芯から外した後、第２係止部、第１係止部の係止状態を順次解除すれば良いものである。
【００１１】
【発明の実施の形態】
次に、本発明の実施の形態を説明すると、図１〜図５は、その第１の実施の形態を、図６及び図７は同第２の実施の形態を各々示している。まず、第１の実施の形態を図面に基づいて説明すると、符号Ａは、排水栓装置である。
【００１２】
排水栓装置Ａは、操作部１、その操作部１に一端側を連結するレリースワイヤ２、その操作部１の他端側が連結される排水栓用案内筒３とから構成されている。
【００１３】
操作部１は、図１に示すように浴槽や洗面器等の容体Ｂの上縁面ｂに吊持状に設けられた上方開放型のボックス底に取付けられた筒部１１と、操作筒部２１とで同上縁面ｂを挟持し、前記筒部１１に押動操作可能に操作釦３１を配置すると共に、その操作釦３１から垂設する操作軸４１を筒部１１底に取付けたガイド筒部５１に挿入し、ガイド筒５１の底にレリースワイヤ２におけるアウターチューブ１２の上端を連結して同ガイド筒部５１内に進入するインナーワイヤ２２一端側を操作軸４１で押動可能とする従来から周知な構成になっている。
【００１４】
レリースワイヤ２は、従来から周知なように金属材からなるコイル状のインナーワイヤ２２を四フッ化エチレン樹脂からなるアウターチューブ１２内を摺動可能に案内する構成とされ、アウターチューブ１２の他端側にはプランジャーガイド３２が設けられている。
【００１５】
プランジャーガイド３２は、図２に示すように基部３２ａ一半部（図２において下半部）にアウターチューブ１２先端の鍔部１２ａをその抜け止め金具４と共に抱持する抱持筒部３２ｂを延設しており、その基部３２ａから小径軸部３２ｄを延設し、その小径軸部３２ｄにインナーワイヤ１２の挿通路３２ｃを開路している。
【００１６】
排水栓用案内筒３は、内部に周知のスラストロック機構Ｓを内蔵すると共に、そのスラストロック機構Ｓで栓蓋Ｄの支持軸ｄを上下動可能に支持し、下端にプランジャーガイド３２の挿入筒部１３が突設してある。
本実施の形態では、排水口Ｃに係脱される抜差し筒６から等間隔をおいて中心方向に向けて複数本のリブ１６を突設し、そのリブ１６中心に排水栓用案内筒３を固定的もしくは係脱可能に設けている。
【００１７】
前記挿入筒部１３は、図２に示すようにその下端から中途部位まで等間隔をおいて切り割り１３ａを複数切欠形成すると共に、先端、即ち排水栓用案内筒３から最も離間する端部に抜け止め防止鍔１３ｂを水平に突設形成している。
そして、その挿入筒部１３とプランジャーガイド３２との間に係止爪機構７を構成している。
【００１８】
係止爪機構７は、係止爪１７と、プランジャーガイド３２の基端３２ａに形成された被係止部２７とからなっている。
係止爪１７は、前記切り割り１３ａの底から排水栓用案内筒３内方向に傾斜状に折曲形成されている。
被係止部２７は、プランジャーガイド３２の基部３２ａの他半部（図２において上半部）の周面に排水栓用案内筒３の中心方向に向くテーパー状の凹部２７ａを凹設することによって、同基部３２ａ先端に突き当て鍔部２７ｂを周設している。
【００１９】
また、排水栓用案内筒３の底に、即ち挿入筒部１３の入端には前記突き当て鍔部２７ｂの周面に形成したテーパー面２７ｃに面係合してそれ以上のプランジャーガイド３２の進入を防止する傾斜状の被係止面２３を周設している。
【００２０】
前記挿入筒部１３には、解除体８が上下動可能に外嵌挿して、抜け止め防止鍔１３ｂと排水栓用案内筒３との間で移動可能になっている。
【００２１】
前記解除体８は、例えば図３に示すように抜け止め防止鍔１３ｂをストッパーとする上下動可能な環状部１８から前記プッシュ体２８を一体に突設形成しており、そのプッシュ体２８は、同挿入筒部１３の切り割り１３ａに対応して突設形成されており、係止爪機構７側に上動させて強制的に係止爪１７を排水栓用案内筒３周面方向に押動して被係止部２７から外すことができるようになっている。
【００２２】
斯様に構成されたレリースワイヤ２と排水栓用案内筒３との連結構造では、図１に示すように操作部１に連結されないレリースワイヤ２他端側を排水口Ｃから容体Ｂ内に引き出した状態で、前記挿入筒部１３にプランジャーガイド３２を挿入すると、前記排水栓用案内筒３の係止爪１７は、テーパー状の凹部２７ａでガイドされ排水栓用案内筒３の周面方向に弾性力を増強するように弾性変形してその先端面が突き当て鍔部２７ｂに係止してレリースワイヤ２を引き抜き不能とする排水栓用案内筒３との連結構造を構成する（図２）。
そして、前記挿入筒部１３を排水口Ｃに係止してセットを完了する。
メンテナンス時や交換時では、挿入筒部１３を排水口Ｃから外してから解除体８を上動させてそのプッシュ体２８で係止爪１７を排水栓用案内筒３の周面方向に強制的に押動して被係止部２７の係止状態を解除した状態で、プランジャーガイド３２自体を排水栓用案内筒３から外すことができる（図４、図５）。
【００２３】
次に、図７及び図８に示すレリースワイヤ２と排水栓用案内筒３との連結構造を説明すると、この実施の形態では、ダブルロック方式を採用している。符号５は第１係止部、９は第２係止部である。
【００２４】
第１係止部５は、図６に示すように排水栓用案内筒３底から垂設され円周方向に等間隔をおいて切り割り１５ａを切欠形成した係止用筒部１５の内面とプランジャーガイド３２の小径軸部３２ｄ外面とのどちらか一方に形成されて互いに係脱可能に係止する凸部と凹部とから構成されており、プランジャーガイド３２の小径軸部３２ｄをその係止用筒部１５に挿入させることによって弾性的に拡径する係止用筒部１５とプランジャーガイド３２の小径軸部３２ｄのどちから一方に形成されている凸部と凹部とを係止するようになっている。
【００２５】
第２係止部９は、同図６に示すように排水栓用案内筒３側の先端から中途までの範囲で切り割り１０ａを有し係止用筒部１５に外嵌するキャップ体１０内面と係止用筒部１５外面とのどちらか一方に形成されて互いに係脱可能に係止する凸部と凹部とから構成されており、キャップ体１０を外嵌させることによって切り割り１０ａの機能で拡径しながら凸部と凹部とを係止する。
【００２６】
斯様に構成されたレリースワイヤ２と排水栓用案内筒３との連結構造では、図７に示すように操作部に連結されないレリースワイヤ２他端側を排水口Ｃから容体Ｂ内に引き出した状態で、プランジャーガイド３２の小径軸部３２ｄを、係止用筒部１５に挿入させて凸部と凹部とを係脱可能に係止してから、キャップ体１０をその係止用筒部１５に外嵌するようにプランジャーガイド３２の基部３２ａと係止用筒部１５とが露出しないようにカバーして凸部と凹部とを係脱可能に係止して、第１係止部５、第２係止部９を各々構成する。
しかる後、前記する実施の形態と同様に排水口Ｃに係脱可能に抜差し筒６に係止してセットを完了する。
そして、メンテナンス時や交換時では、抜差し筒６を排水口Ｃから外してから、まずキャップ体１０を凸部と凹部との係止力に抗して人為的に外した後、プランジャーガイド３２の小径軸部３２ｄを凸部と凹部との係止力に抗して人為的に外すことによってプランジャーガイド３２自体を排水栓用案内筒３から外すことができる。
尚、符号１０ｂは、人為的に引き抜く際の摩擦抵抗部で手指が引っ掛かり、キャップ体１０を引き易くしてある。
【００２７】
尚、他の構成については前記する第１の実施の形態と同様であるため、同一負符号を付して説明は省略する。
【００２８】
【発明の効果】
本発明は以上のように構成したため、レリースワイヤの遊端であるプランジャーガイドを排水口から容体内に引き出した後、排水栓用案内筒にプランジャーガイドを差し込むことによって係止爪機構を構成して連結され、解除体を係止爪機構側に移動させる単純な作業で連結を解除することができる。
従って、排水栓用案内筒に対するプランジャーガイドの連結、連結の解除がワンタッチで行え、プランジャーガイドの螺子部を排水栓用案内筒の螺子孔に螺嵌する従来の連結構造に比べて連結作業及び解除作業が非常に簡単である。
【００２９】
しかも、解除体が、排水栓用案内筒、あるいは、プランジャーガイドもしくはレリースワイヤに抜け落ち不能に保持されていると、プランジャーガイド、レリースワイヤが解除体の移動路として有効利用できることから、構造簡単でありながら排水栓用案内筒に対するプランジャーガイドの連結の解除が簡単且つ確実に行える。
【００３０】
また、排水栓用案内筒の下端に筒軸線方向に間隔をおいて切り割りを有する係止用筒部を設け、その係止用筒部とその筒部を挿通するプランジャーガイドとの間に係脱可能に係止する第１係止部を構成し、前記係止用筒部に外嵌するキャップ体に切り割りを設け、キャップ体内面と係止用筒部外面との間に係脱可能に係止する第２係止部を構成している場合には、第１係止部、第２係止部を順次構成するダブルロック方式で強固に排水栓用案内筒とプランジャーガイドとの連結が行え、また第２係止部、第１係止部を順次解くことによって、排水栓用案内筒に対するプランジャーガイドの連結が解除され、従来のようにプランジャーガイドの螺子部を排水栓用案内筒の螺子孔に螺嵌する従来の連結構造に比べて連結作業及び解除作業が非常に簡単である。
【図面の簡単な説明】
【図１】レリースワイヤと排水栓用案内筒との連結構造の第１の実施の形態の縦断面図で一部省略して示す。
【図２】要部の拡大断面図で、一部切欠して示す。
【図３】排水栓用案内筒、解除体、プランジャーガイドとの関係を示す斜視図でスラストロック機構を省略し一部切欠して示す。
【図４】プランジャーガイドを排水栓用案内筒から外す状態を示す部分拡大断面図でスラストロック機構を省略して概略的に示し、（ａ）は、解除体を上方に押動して係止爪は外そうとしている状態を示し、（ｂ）は、係止爪を外した状態を示す。
【図５】プランジャーガイドを抜き取った状態を示す分解図で、排水栓用案内筒を断面して示しスラストロック機構を省略する。
【図６】レリースワイヤと排水栓用案内筒との連結構造の第２の実施の形態の縦断面図で要部のみを示す。
【図７】排水栓用案内筒とレリースワイヤの分解図。
【符号の説明】
３：排水栓用案内筒                          ２：レリースワイヤ
３２：プランジャーガイド                      ８：解除体
７：係止爪機構                            １７：係止爪
２７：被係止部                              １５：係止用筒部
１５ａ：切り割り（係止用筒部の切り割り）        ５：第１係止部
９：第２係止部                            １０：キャップ体
１０ａ：切り割り（キャップ体の切り割り）
【図１】
0003922927.tif 000002
【図２】
0003922927.tif 000003
【図３】
0003922927.tif 000004
【図４】
0003922927.tif 000005
【図５】
0003922927.tif 000006
【図６】
0003922927.tif 000007
【図７】
0003922927.tif 000008